(57)【特許請求の範囲】
【請求項１】
内部に釣り糸の挿通経路が形成された中通し竿であって、外側に軸方向で先細りのテーパ面を有し、かつ内側に軸方向で実質的に同一内径のストレート孔を少なくとも一つ有する竿体と、前記ストレート孔の内壁面に軸方向に間隔を隔てて配置された釣り糸を竿体内部で案内するための複数のガイドリングと、前記各ガイドリングの間に配置され前記ガイドリングより内径が大きく各ガイドリングを所定の間隔で配置するための筒状のスペーサとを備えた中通し竿。
【請求項２】
前記ガイドリングは硬質セラミック製である、請求項１に記載の中通し竿。
【発明の詳細な説明】
【０００１】
【発明の属する技術分野】
本発明は、釣り竿、特に、内部に釣り糸の挿通経路が形成された中通し竿に関する。
【０００２】
【従来の技術】
中通し竿は、一般に、内部に釣り糸の挿通経路が形成された竿体を有しておりており、竿体の穂先側には糸導出用のトップガイドが、リールより竿先側の竿体の外周面には糸導入口がそれぞれ設けられている。このような中通し竿では、リールによって繰り出し巻き取りが行われる釣り糸は、竿体内部に形成された挿通経路内を移動する。このため、通路壁面と釣り糸との接触による摺動抵抗を低減するとともに通路壁面に釣り糸が付着しないようにすることが重要である。
【０００３】
このような摺動抵抗や釣り糸の付着を低減するために、特開平７−２３６３９３号公報に開示されているように、竿体内部に着脱自在な筒状の内挿体と複数のガイドリングと複数のスペーサとを配置した中通し竿が既に提案されている。この中通し竿では、内挿体が竿体内部に挿入され、その内挿体に同一サイズのガイドリングがさらに支持されている。内挿体はストレートな筒状部材であり、その外周部に竿体内周面との衝突による音を発生を防止するための音消しゴムが装着されており、音消しゴムにより竿体に支持されている。ガイドリングの間には、ガイドリングを所定の間隔に配置するためのスペーサが装着されている。
【０００４】
【発明が解決しようとする課題】
前記従来の構成では、竿体が先細りテーパ状のため、同一サイズのガイドリングを装着するために筒状の内挿体を竿体内部に挿入する必要がある。したがって、釣り糸の挿通経路の構成が複雑になる。また、筒状の内挿体を装着すると、内挿体が竿体壁面に衝突するのを防止するため消音用の音消しゴムをライナーと竿体の内周面との間に配置しなければならず、構成がさらに複雑になる。
【０００５】
本発明の課題は、中通し竿において、竿体内部に装着される釣り糸ガイドの構成を簡素化することにある。
【０００６】
【課題を解決するための手段】
発明１に係る中通し竿は、内部に釣り糸の挿通経路が形成された中通し竿であって、外側に軸方向で先細りのテーパ面を有し、かつ内側に軸方向で実質的に同一内径のストレート孔を少なくとも一つ有する竿体と、前記ストレート孔の内壁面に軸方向に間隔を隔てて配置された釣り糸を竿体内部で案内するための複数のガイドリングと、前記各ガイドリングの間に配置され前記ガイドリングより内径が大きく各ガイドリングを所定の間隔で配置するための筒状のスペーサとを備えている。
【０００７】
この中通し竿では、竿体の内側が実質的に軸方向で同一内径のストレート孔であるので、内挿体等の別の部材を用いることなく同じサイズの釣り糸ガイドを竿体の内部のストレート孔の内壁面に直接装着でき、竿体内部に装着される釣り糸ガイドの構成を簡素化することができる。釣り糸ガイドは、軸方向に間隔を隔てて配置された複数のガイドリングであり、竿体の内側がストレート孔であるため、同じ外径の複数のガイドリングを適宜の間隔で装着するだけで簡素な構成の釣り糸ガイドを実現できる。
【０００８】
さらに、各ガイドリングの間に配置されガイドリングより内径が大きく各ガイドリングを所定の間隔で配置するための筒状のスペーサを備えているので、ガイドリングとスペーサとを交互に装着するだけで、ガイドリングを間隔を隔てて挿通経路に簡単に装着できる。
【０００９】
発明２に係る中通し竿は、発明１に記載の竿において、ガイドリングは硬質セラミック製である。この場合には、ガイドリングに釣り糸が接触してもガイドリングとの間の摺動抵抗が小さくかつガイドリングが磨耗しにくくなる。
【００１０】
【発明の実施の形態】
図１において、本発明の一実施形態による中通し竿であるルアーロッド１は、穂先側竿体２と、手元側竿体３とを有しており、これらの竿体２，３は並継ぎ形式で連結可能である。穂先側竿体２は、内側に連続する２つのストレート孔２ａ，２ｂを有する先細り筒状の部材である。穂先側竿体２の外周面は先端に行くにしたがって細くなるテーパ面である。ストレート孔２ａ，２ｂはそれぞれ実質的に同一内径であり、かつ竿尻側のストレート孔２ａは竿先側のストレート孔２ｂより内径が大きい。穂先側竿体２の先端部には、トップガイド７が装着されている。
【００１１】
このような構成の穂先側竿体２は、たとえば外周部にストレート孔２ａ，２ｂに対応する外径が異なる２つの円柱を有するマンドレルに、ガラス繊維，炭素繊維等の高強度繊維基材に樹脂を含浸させたプリプレグを巻き付け焼成することで得られる。なお、ストレート孔２ａ，２ｂの内径が実質的に同一というのは、マンドレルから抜きやすくするためにストレート孔２ａ，２ｂ部分に僅かなテーパをつける場合を含んでいる。
【００１２】
手元側竿体３は、後端部に形成された握り部３Ａと、握り部３Ａの前方部に形成されたリールシート３Ｂと、リールシート３Ｂのさらに前方部に幅広に形成された糸導入部３Ｃとを有している。糸導入部３Ｃの前後方向の中間部には、リールシート３Ｂに装着されるリールからの糸が導入される糸導入孔３Ｄが形成されている。糸導入孔３Ｄは、前後方向に長い長孔状に形成されている。糸導入部３Ｃの下面には、糸導入孔３Ｄと対向して内外貫通孔３Ｅが形成されている。内外貫通孔３Ｅは、前後方向に長い長孔状であり、前後長及び幅ともに糸導入孔３Ｄより小さい。なお、穂先側竿体２と手元側竿体３とを連結した状態では、糸導入孔３Ｄ及び内外貫通孔３Ｅと穂先側竿体２の２つのストレート孔２ａ，２ｂとは、糸導入部３Ｃ内部の連通空間Ｃを介して連通する。
【００１３】
穂先側竿体２の２つのストレート孔２ａ，２ｂの内壁面には、図２に示すように、大小２種のガイドリング５ａ，５ｂが間隔を隔ててそれぞれ複数装着されている。ガイドリング５ａ，５ｂは、たとえばアルミナやシリコンカーバイト等の硬質セラミック製であり、その内周面は円弧状の角がない滑らかな形状になっている。ガイドリング５ａ，５ｂの間及び両端部にはスペーサ６ａ，６ｂがそれぞれ装着されている。スペーサ６ａ，６ｂは、ガイドリング５ａ，５ｂよりそれぞれ内径が大きい筒状部材であり、たとえば柔軟なポリイミドチューブを切断して形成されたものである。なお、竿尻側のスペーサ６ａ，６ｂには大径部６ｃ，６ｄがそれぞれ形成されており，ガイドリング５ａ，５ｂとスペーサ６ａ，６ｂとを装着するときに穂先側竿体２の内部で位置決めできるようになっている。
【００１４】
このようなガイドリング５ａ，５ｂ及びスペーサ６ａ，６ｂは、以下の手順で竿体２の内部のストレート孔２ａ，２ｂに装着される。
まず、たとえばガイドリング５ａ，５ｂより外径がやや小さい段付の棒状部材を用意し、その棒状部材にガイドリング５ａ，５ｂ及びスペーサ６ａ，６ｂを交互に装着する。そして、ガイドリング５ａ，５ｂ及びスペーサ６ａ，６ｂが装着された棒状部材をストレート孔２ａ側から内部に挿入し、挿入完了後に棒状部材を抜いて装着を完了する。このようにしてガイドリング５ａ，５ｂをストレート孔２ａ，２ｂに装着することにより、後端開口２Ｃから先端開口２Ｂにかけて釣り糸の挿通経路８が竿体２の内部形成される。
【００１５】
このような構成のルアーロッド１では、リールから糸導入孔３Ｄを介して竿内部に導入された釣り糸は、ガイドリング５ａ，５ｂによって支持され、先端開口２Ｂから外部に導出される。このため、釣り糸が竿体内面等に接触したり付着するのを抑えることができ、釣り糸に対する摺動抵抗を小さくできる。
また、本実施形態では、ポリイミドチューブ製のスペーサ６ａ，６ｂが配置されているので、これらの剛性は比較的低い。したがって、竿体２内部にスペーサ６ａ，６ｂを装着しても竿の曲がりに追従しやすい。
【００１６】
〔他の実施形態〕
（ａ）  前記実施形態ではストレート孔を２つ設けたが、ストレート孔の数は１つでも複数でもよい。
（ｂ）  前記実施形態では、ガイドリングを硬質セラミック製にしたが、ガイドリングの材質は硬質セラミックに限定されるものではない。
【００１７】
（ｃ）  前記実施形態では、ガイドリング５ａ，５ｂをストレート孔２ａ，２ｂに装着したが、図３に示すように、各ストレート孔２ａ，２ｂに螺旋コイル状のガイド部材１０ａ，１０ｂを装着してもよい。このガイド部材１０ａ，１０ｂは、たとえば金属線材製であり、その外径は各ストレート孔２ａ，２ｂの内径に実質的に同一であり、長さは各ストレート孔２ａ，２ｂの長さと実質的に同一である。ここでは、各ストレート孔２ａ，２ｂにそれぞれ１つのガイド部材１０ａ，１０ｂを装着するだけで、簡素な構成の釣り糸ガイドを実現できる。
【００１８】
【発明の効果】
以上説明したように、本発明によれば、竿体の内側が実質的に軸方向で同一内径のストレート孔であるので、内挿体等の別の部材を用いることなく同じサイズのガイドリングを竿体の内部のストレート孔の内壁面に適宜の間隔で直接装着できる。このため、竿体内部に装着される釣り糸ガイドの構成を簡素化することができる。さらに、各ガイドリングの間に配置されガイドリングより内径が大きく各ガイドリングを所定の間隔で配置するための筒状のスペーサを備えているので、ガイドリングとスペーサとを交互に装着するだけで、ガイドリングを間隔を隔てて挿通経路に簡単に装着できる。
【図面の簡単な説明】
【図１】本発明の一実施形態による中通し竿であるルアーロッドの斜視図。
【図２】穂先側竿体の断面部分図。
【図３】他の実施形態の図２に相当する図。
【符号の説明】
１  ルアーロッド
２  穂先側竿体
２ａ，２ｂ  ストレート孔
３  竿元側竿体
５ａ，５ｂ  ガイドリング
６ａ，６ｂ  スペーサ
１０ａ，１０ｂ  ガイド部材
【図１】
0003877091.tif 000002
【図２】
0003877091.tif 000003
【図３】
0003877091.tif 000004